(57)【要約】【課題】所望の振動パターンの設定を直感的に容易に行えるようにする。【解決手段】加速度を計測する加速度センサ２０と、加速度センサ２０で所定の時間内に計測された複数の加速度に基づいて、加速度の大きさと予め対応付けられた加速度の大きさに応じた複数の振動レベルを含む振動パターンを生成する制御部１１とを備えた。その上で、制御部１１で生成された振動パターンに基づいて当該携帯端末装置１を振動させる。【選択図】図１
2011024124.tif 000002
【特許請求の範囲】
【請求項１】
加速度を計測する加速度センサと、
前記加速度センサで所定の時間内に計測された複数の加速度に基づいて、前記加速度の大きさと予め対応付けられた前記加速度の大きさに応じた複数の振動レベルを含む振動パターンを生成する制御部と、
前記制御部で生成された前記振動パターンに基づいて当該携帯端末装置を振動させる振動部とを備えた
携帯端末装置。
【請求項２】
前記振動レベルは、前記加速度が第１の閾値未満である場合には０が、前記第１の閾値以上であり前記第１の閾値より大きい第２の閾値未満である場合には弱が、前記第２の閾値以上である場合には強が設定される
請求項１記載の携帯端末装置。
【請求項３】
前記振動パターンを記憶する振動パターン記憶部を備え、
前記振動パターン記憶部には少なくとも１以上の振動パターンが記憶され、
前記振動部は、前記振動パターン記憶部に記憶された前記振動パターンのうち、ユーザにより選択された前記振動パターンに基づいて振動される
請求項２記載の携帯端末装置。
【請求項４】
前記振動パターンに基づく前記振動部での振動は、前記加速度センサでの前記加速度の計測時間より短い時間で行われる
請求項３記載の携帯端末装置。
【請求項５】
加速度を計測するステップと、
所定の時間内に計測された複数の前記加速度に基づいて、前記加速度の大きさと予め対応付けられた前記加速度の大きさに応じた複数の振動レベルを含む振動パターンを生成するステップと、
前記生成された前記振動パターンに基づいて当該携帯端末装置を振動させるステップとを含む
携帯端末装置の設定方法。
【発明の詳細な説明】
【技術分野】
【０００１】
本発明は、例えばバイブレータを備えた携帯電話端末に適用して好適な携帯端末装置及びその設定方法に関する。
【背景技術】
【０００２】
従来、携帯電話端末の着信時やアラームの設定時刻に、端末内に設けられたバイブレータを振動させることにより、振動音を発生させることが行われている。その際、一定の期間装置をただ単に振動させ続けるだけでなく、端末を振動させる区間と静止させる区間とを組み合わせることによって、様々な振動パターンを形成することも行われている。
【０００３】
近年の携帯電話端末においては、端末内に予め様々な振動パターンが登録されている場合が多い。従ってユーザは、登録済みの様々な振動パターンの中から好みの振動パターンを選択することにより、着信時やアラームの設定時刻に発生させる振動パターンを設定することができる。
【０００４】
しかし、これらの振動パターンは予め設定されたものであり、カスタマイズもできないようにしてあるため、ユーザが本当に好む振動パターンを設定することはできないという問題があった。このような問題を解決する技術として、例えば特許文献１には、パルス信号の振動数を変えることで任意の周期の振動を得る技術が記載されている。
【先行技術文献】
【特許文献】
【０００５】
【特許文献１】特開２００１−３４７２２７号公報
【発明の概要】
【発明が解決しようとする課題】
【０００６】
ところで、特許文献１に記載の技術を用いて振動パターンを設定する場合には、振動の周波数や振幅、強度等を変更する必要がある。つまり、振動パターンの設定を感覚的（直感的）に行うことができないという問題があった。
【０００７】
本発明はかかる点に鑑みてなされたものであり、所望の振動パターンの設定を直感的に容易に行えるようにすることを目的とする。
【課題を解決するための手段】
【０００８】
本発明は、加速度を計測する加速度センサと、加速度センサで所定の時間内に計測された複数の加速度に基づいて、加速度の大きさと予め対応付けられた加速度の大きさに応じた複数の振動レベルを含む振動パターンを生成する制御部とを備えた。その上で、制御部で生成された振動パターンに基づいて当該携帯端末装置を振動させるようにした。
【０００９】
このようにしたことで、ユーザによって携帯端末装置を振る動作が行われたことにより発生する加速度の値に応じて、振動部での振動パターンが生成され、その振動パターンに基づいて振動部が振動するようになる。
【発明の効果】
【００１０】
本発明によれば、ユーザは、携帯端末装置を振るという単純な操作により振動部での振動パターンを容易に設定することができる。
【図面の簡単な説明】
【００１１】
【図１】本発明の一実施の形態による携帯電話端末の内部構成例を示すブロック図である。
【図２】本発明の一実施の形態による計測された加速度と振動の分類との対応の例を示す説明図である。
【図３】本発明の一実施の形態によるアラーム設定処理の例を示すフローチャートである。
【図４】本発明の一実施の形態による設定画面の例を示す説明図であり、（ａ）はアラームの設定画面の例を示し、（ｂ）は振動部の設定画面の例を示す。
【図５】本発明の一実施による振動パターンの生成例を示す説明図である。
【発明を実施するための形態】
【００１２】
以下、本発明の実施の形態を、添付図面を参照して説明する。
【００１３】
［システムの構成例］
図１は、第１の実施の形態の例（以下、本例とも称する）による携帯電話端末１の内部構成例を示した図である。携帯電話端末１は、マイクロプロセッサ等よりなる制御部１１を備え、制御部１１は、制御信号が伝送される制御ライン２５又はデータが伝送されるデータライン２６を介して、携帯電話端末１内の各部と接続されている。そして制御部１１は、これらのラインを通して各部と通信を行い、各部の動作制御を行う。また、後述する加速度センサ２０での計測結果に基づく、振動パターンの生成処理等も行う。
【００１４】
また携帯電話端末１は、通信端末として必要な無線通信処理を行う無線電話用の通信処理部１３を備え、通信処理部１３にはアンテナ１２が接続されている。この通信処理部１３が無線電話用の基地局と無線通信を行って、基地局との間で双方向のデータ伝送を行う。通信処理部１３は、基地局側から受信したデータを、データライン２６を介して端末内の各部に送出する。また、端末内の各部からデータライン２６を介して伝送されたデータを、基地局側に送信させる。
【００１５】
制御ライン２５には、通信処理部１３の他に、表示部１４と操作部１５と記憶部１６とが接続されている。表示部１４は、液晶表示ディスプレイや有機ＥＬディスプレイなどが表示手段として使用され、制御部１１による制御に基づいて各種情報の表示を行う。操作部１５は、携帯電話端末として必要な数字や記号などのダイヤルキー、各種機能キーなどで構成される。
【００１６】
操作部１５を構成する各キーのユーザによる操作情報は、制御部１１に供給される。各種設定操作を行う際には、例えば表示部１４で操作を案内する表示を行い、その表示に従ってユーザは操作部１５で操作を行って、該当する設定が行われる。記憶部１６は、ＲＯＭ（Read Only Memory）やＲＡＭ（Random Access Memory）で構成され、本実施の形態の携帯電話端末１を動作させるために必要なプログラムや、ユーザにより生成又は取得されたデータ等が記憶される。また記憶部１６には、後述する加速度センサ２０で検出された計測値（加速度）の情報も記憶される。
【００１７】
制御ライン２５には、さらに音声処理部１９と、加速度センサ２０と、振動パターン記憶部２１と、振動部２２とが接続されている。音声処理部１９は、オーディオ信号の再生に関する処理を行う処理部であり、スピーカ１７及びマイクロフォン１８とが接続されている。このスピーカ１７及びマイクロフォン１８は、通話時に受話器として使用されるものである。即ち、通信処理部１３から音声処理部１９に供給される音声データを、音声処理部１９で復調してアナログ音声信号とし、増幅などのアナログ処理を行ってスピーカ１７から放音させる。また、マイクロフォン１８が集音した音声信号を、音声処理部１９でデジタル音声データに変調し、その変調された音声データを通信処理部１３に供給して、無線送信などを行う。
【００１８】
加速度センサ２０は、２軸の加速度センサや３軸の加速度センサにより構成され、携帯電話端末１の傾き角や携帯電話端末１に加えられた振動の大きさを加速度として検出して、制御部１１に供給する。制御部１１では、加速度センサ２０で計測された加速度を、その大きさに応じた振動部２２の振動制御信号に変換する処理が行われる。この処理は、予め設定された、図２に示したような加速度と振動制御信号との対応付け情報に基づいて行われる。
【００１９】
図２の左端の列には、加速度センサ２０で得られる加速度の大きさを分類するための３種類の閾値が示されている。具体的には、“＜Ｘ（閾値Ｘ未満）”、“Ｘ≦Ｙ（閾値Ｘ≦閾値Ｙ未満）”、“＞Ｙ（閾値Ｙより大きい）”の３つが記載されている。
【００２０】
図２中の中央の列には、前述した閾値に対応する振動部２２での振動の大きさ（レベル）が「振動分類」として記載されている。すなわち、加速度センサ２０での計測値が“＜Ｘ”の時には振動部２２での振動はなし、“Ｘ≦Ｙ”のときには振動弱、“＞Ｙ”のときには振動強とすることが記載されている。右端の列には、振動分類に応じて設定される振動部２２への振動制御信号が記載されている。
【００２１】
図２に示した例では、「振動なし」の分類には“０”、「振動弱」の分類には“１”、「振動強」の分類には“２”の振動制御信号が対応することが示されている。制御部１１では、加速度センサ２０での実測値とこのような対応情報に基づいて、振動パターンが生成される。
【００２２】
振動パターン記憶部２１には、制御部１１で生成された様々な振動パターンが記憶される。ここに記憶された振動パターンは、アラームの設定時刻や着信時等、ユーザによって設定されたタイミングで制御部１１により読み出され、振動部２２によって実現される。
【００２３】
振動部２２は、図示せぬ振動子及び、振動子を振動させる駆動部等で構成され、ユーザによって指定された振動パターンに基づいて、駆動部が振動子を振動させる。
【００２４】
［システムの動作例］
次に、本例のシステムの動作例について、図３のフローチャートと図４の説明図とを参照して説明する。以下の説明では、一例としてアラーム音として振動パターンを設定する場合の例に挙げているが、これに限定されるものではない。例えば、着信時の動作として振動パターンを設定する場合等に適用してもよい。
【００２５】
図３において、まず、ユーザによるアラーム設定操作を受け付けたか否かが、制御部１１（図１参照）によって判断され（ステップＳ１）、受け付けていない場合には、ステップＳ１の判断が繰り返される。ユーザによるアラーム設定操作を受け付けたと判断された場合には、表示部１４（図１参照）にアラームの設定画面が表示される（ステップＳ２）。
【００２６】
図４に、アラーム設定画面の例を示してある。図４に示した画面には、アラーム１の設定内容として、アラーム設定のＯＮ／ＯＦＦ情報や、設定時刻の情報、バイブレータ（振動部２２）のＯＮ／ＯＦＦ情報が表示されている。「バイブレータ」の項目のところに位置する四角い囲いで示されたカーソルを、上下方向に移動させることにより、ユーザはこれらの中から任意の項目を設定することができる。
【００２７】
図４（ａ）において「バイブレータ」が選択された後の画面の例を、図４（ｂ）に示してある。図４（ｂ）には「バイブレータ」の設定項目として、「ＯＦＦ」、「パターン１」、「パターン２」、「パターン３」、「パターン作成」が表示されている。「パターン１」から「パターン３」までは、予め端末内に設定された振動パターンである。「パターン作成」は、振動パターンを新規に作成するための項目である。
【００２８】
図３に戻って説明を続ける。ステップＳ２でアラーム設定画面が表示されると、続いて、ユーザによる振動パターンの新規登録操作を受け付けたか否かが制御部１１によって判断される（ステップＳ３）。すなわち、ユーザによって、図４（ｂ）に示した「パターン作成」が選択されたか否かが判断される。「パターン作成」が選択されていない場合、つまり振動パターンの新規登録操作を受け付けていない場合は、選択された項目に応じたアラーム設定が行われ（ステップＳ４）、処理はここで終了となる。
【００２９】
振動パターンの新規登録操作を受け付けたと判断された場合には、制御部１１での制御に基づいて、操作入力受け付け後１秒程度が経過した後に、加速度センサ２０での計測が開始される（ステップＳ５）。なお、操作入力受け付け開始から加速度センサ２０での計測開始までの秒数は、任意の秒数に設定可能であるものとする。またこのとき、加速度センサ２０での計測開始を知らせる音を出力させるようにしてもよい。
【００３０】
次に、計測開始から所定の時間が経過したか否かが判断される（ステップＳ６）。加速度の計測時間として予め例えば５秒が設定されている場合には、５秒が経過したか否かが判断される。所定の時間が経過するまでの間は、ステップＳ６の判断が続けられる。所定の時間が経過したと判断された場合には、制御部１１によって、計測結果に基づく振動パターンの生成が行われる（ステップＳ７）。
【００３１】
次に、ユーザによって、生成された振動パターンを保存する操作が入力されたか否かが判断され（ステップＳ８）、入力されなかった場合には、ステップＳ３に戻って処理が続けられる。生成された振動パターンを保存する操作が入力された場合には、振動パターンが振動パターン記憶部２１（図１参照）内に保存されるとともに、その振動パターンがアラームとして設定される（ステップＳ９）。
【００３２】
図５に、ユーザが携帯電話端末１を振動させる動作の種類と、バイブレータ（振動部２２）の設定内容との対応例を示してある。図５の横軸は加速度の計測時間を示す。図５の上段には、ユーザによる振動動作を、区間Ｂ１〜区間Ｂ６の各段階に分けて時系列に示してある。中段には、その動作によって生じた加速度の大きさ（ｖ）を示してある。下段には、振動部２２での振動の分類（振動レベルの大きさ）を示してある。
【００３３】
図５に示した例では、ユーザは、区間Ｂ１及び区間Ｂ２において携帯電話端末１を上下方向に激しく振る操作行い、次の区間Ｂ３及び区間Ｂ４で携帯電話端末１を静止させている。続く区間Ｂ５では携帯電話端末１をゆっくり上方向に振る動作が行い、最後の区間Ｂ６では、ゆっくり横方向に振る動作を行っている。
【００３４】
区間Ｂ１及び区間Ｂ２で加速度センサ２０によって検出された加速度ｖ（計測値）は、ともに閾値Ｙを超えているため、振動部２２での振動の大きさは「大」に設定される。次の区間Ｂ３と区間Ｂ４では、携帯電話端末１を揺らす操作がなかった（静止されていた）ため、加速度ｖも閾値Ｘ未満となる。従って、振動は「なし」に設定される。区間Ｂ５及び区間Ｂ６では、ユーザによる携帯電話端末１を振る動作がゆっくりであったため、計測された加速度ｖは閾値Ｘ以上閾値Ｙ未満となる。従って、振動は「弱」に設定される。
【００３５】
なお本例では、携帯電話端末１を揺らす方向は考慮せず、その大きさのみをパラメータとして使用するようにしている。よって携帯電話端末１を揺らす方向が異なる区間Ｂ５と区間Ｂ６に対しても、共通して「振動弱」が設定されるようになる。
【００３６】
このようにして決定された振動の強さの情報は、振動制御信号のパルスの大きさに変換され、加速度の計測時間よりも短い例えば０．１秒程度の時間単位で表現される。そして、定義された振動パターンが０．１秒の単位毎に繰り返して再現される。
【００３７】
［実施の形態による効果］
上述した実施の形態によれば、ユーザは、携帯電話端末１を振るという簡単な操作により、振動部２２（バイブレータ）の振動パターンを容易に設定することができるようになる。
【００３８】
この場合、携帯電話端末１を振る動作の強弱によって、バイブレータでの振動の強弱を設定することができるため、振動のＯＮとＯＦＦの組み合わせだけでなく、振動の強弱レベルも変化する振動パターンを容易に生成することができる。
【００３９】
また、加速度センサ２０で検出される携帯電話端末１の加速度のみに基づいて、携帯電話端末１の移動方向は考慮されずに振動パターンが生成されるため、ユーザは、携帯電話端末１を振る方向を気にせずに容易に設定を行うことができる。
【００４０】
さらに、携帯電話端末１の姿勢状態検出の目的で端末内に加速度センサが設けられている場合には、新たな部品を追加することなく、すなわちコスト増を招くことなく本発明の構成を実現することができる。
【００４１】
［変形例］
なお、上述した実施の形態では、振動部２２での振動の強弱のレベルを「強」と「弱委」の２段階としたが、これに限定されるものではない。量子化の幅を非常に細かくすることで、ユーザによる携帯電話端末１を揺らす動作を、振動部２２の振動でより忠実に再現できるように構成してもよい。
【００４２】
また、上述した実施の形態では、携帯端末を携帯電話端末１に適用した例を挙げたが、振動部２２を有する端末であれば、ＰＤＡ（Personal Digital Assistants）やゲーム端末、音声再生端末、静止画像又は動画像の再生端末等の他の端末に適用してもよい。
【符号の説明】
【００４３】
１…携帯電話端末、１１…制御部、１２…アンテナ、１３…通信処理部、１４…表示部、１５…操作部、１６…記憶部、１７…スピーカ、１８…マイクロフォン、１９…音声処理部、２０…加速度センサ、２１…振動パターン記憶部、２２…振動部、２５…制御ライン、２６…データライン
【図１】
2011024124.tif 000003
【図２】
2011024124.tif 000004
【図３】
2011024124.tif 000005
【図４】
2011024124.tif 000006
【図５】
2011024124.tif 000007